(57)【要約】【課題】  発熱を抑制し、かつ放熱を効果的に行うことができる、遊技機用画像表示装置を提供する。【解決手段】  遊戯用画像表示装置は、遊技を行う遊技者に面した画面に様々な画像を表示するものであり、液晶パネル９５と、液晶パネル９５に照明光を供給するバックライトとして機能するＥＬシート９６を含む。ＥＬシート９６をバックライト用いることで、従来の冷陰極管等に比べ発熱量を低減し、かつ、ケース内に収容される液晶パネル９５や電子回路基板等の温度上昇を抑制することができる。【選択図】  図６
2007021078.tif 000002
【特許請求の範囲】
【請求項１】
遊技を行う遊技者に面した画面に様々な画像を表示するための遊技機用画像表示装置であって、
液晶パネルと、液晶パネルに照明光を供給するバックライト部とを有し、バックライト部は、シート状のＥＬパネルを含む、遊技機用画像表示装置。
【請求項２】
遊技機用表示装置はさらに、ケース本体を含み、ケース本体内に液晶パネルとバックライト部を収容する、請求項１に記載の遊技機用画像表示装置。
【請求項３】
ケース本体にはさらに、電子回路を実装した回路基板を収容し、液晶パネルは、電子回路から供給された画像信号に基づき画像を表示する、請求項１または２に記載の遊技機用画像表示装置。
【請求項４】
液晶パネル、ＥＬパネルおよび回路基板は、ケース内において積層されている、請求項３に記載の遊技機用画像表示装置。
【発明の詳細な説明】
【技術分野】
【０００１】
本発明は、パチンコ機やスロットマシン等の遊技機に用いられる画像表示装置に関し、特に液晶表示装置に関する。
【背景技術】
【０００２】
スロットマシンやパチンコ遊技機等の遊技機には、遊技の進行状態やゲーム性を視覚的に伝えるための手段として表示装置が備えられている。例えば、パチンコ球を発射し、遊技を行うパチンコ機は、ゲージ盤の中央に液晶ディスプレイが設けられている。
【０００３】
特許文献１は、スロットマシンの回転リールを表示させる表示パネルに関し、液晶表示部の背面に設けられた導光板とバックライトとの間に拡散シートを設けることで、拡散光を導光板に供給し、均一な明度の透過像を得ている。
【０００４】
また、スロットマシンやパチンコ機では、液晶表示装置が大画面化するに伴い、その発熱量が増えるため、熱による電子回路の不具合の発生を抑えるために、種々の放熱対策が施されている。放熱対策の１つとして、例えば、液晶表示装置の表示面から発生する熱の放熱効果を良くしたり、特許文献２のように排気ファンを設けることで強制的な冷却を行っている。
【０００５】
【特許文献１】特開２００５−２１６１５号
【特許文献２】特開２００５−１２４７９０号
【発明の開示】
【発明が解決しようとする課題】
【０００６】
遊技機用の液晶パネルは、その裏面に冷陰極管等により構成されたバックライトが設けられ、バックライトにより液晶パネルの全面に対して均一な明かりを提供している。しかし、バックライトは、それ自身が光源であるために発熱し、その発熱により液晶パネルや電子回路を実装する回路基板の温度が上昇してしまう。液晶パネルの大画面化が進めば、より温度上昇の問題も顕著になる。さらに、遊技機では、不正防止等の対策から液晶パネルおよび制御基板をケース内に収容するため、ケース内部の温度が上昇し易く、ケース内部の熱源を外部へ効率よく排除する必要がある。スロットマシンにあっては、制御装置がケースに収容された上、このケース自体も箱状の筐体内に収容されるため、さらに通気性が悪く、自然放熱による温度上昇を防止し得る技術が必須である。
【０００７】
上記した特許文献２では、液晶ユニットや液晶パネルに排気ファンを取り付けることで積極的に放熱効果を高める改善をしているが、こうした方法では、液晶ユニットと独立して動作する排気ファンが故障してしまうと、液晶パネルが高熱になり、液晶パネルが破損をしたり、他の電子回路が熱暴走するおそれがある。
【０００８】
本発明は、上記従来の課題を解決し、発熱を抑制し、かつ放熱を効果的に行うことができる、遊技機用画像表示装置を提供することを目的とする。
【課題を解決するための手段】
【０００９】
本発明に係る遊戯用画像表示装置は、遊技を行う遊技者に面した画面に様々な画像を表示するものであり、液晶パネルと、液晶パネルに照明光を供給するバックライト部とを有し、バックライト部は、シート状のＥＬパネルを含む。バックライト部にＥＬパネルを用いることで、従来の冷陰極管等のバックライトに比べ、その発熱量を低減することができる。
【００１０】
遊技機用画像表示装置はさらに、ケース本体を含み、ケース本体内に液晶表示部とバックライト部を収容している。ケース本体にはさらに、電子回路を実装した回路基板を収容し、液晶表示部は、電子回路からの画像信号に基づき画像を表示する。バックライトにシート状のＥＬパネルを用いているため、ケース内部で発生する熱源を低減することができる。
【発明の効果】
【００１１】
本発明の遊技機用画像表示装置によれば、バックライト部にシート状のＥＬパネルを用いることで、バックライト部の発熱を低減し、かつ、ケース内の放熱空間を確保することで放熱効果を促進することができる。これにより、画像表示装置の温度上昇を抑制し、ひいては遊技機における動作の安定化を図ることができる。
【発明を実施するための最良の形態】
【００１２】
以下、本発明の好ましい実施形態について図面を参照しながら説明する。本発明に係る画像表示装置を備えた遊技機の代表例としてパチンコ機ＰＭを図１および図２に示す。まず、これらの図面を参照しながら、パチンコ機ＰＭの全体構成について要約説明する。ここで、図１はパチンコ機ＰＭの正面図、図２はパチンコ機ＰＭの背面図である。
【００１３】
パチンコ機ＰＭは、外郭方形枠サイズに構成されて縦向きの固定保持枠をなす外枠１の開口前面に、これに合わせた方形枠サイズに構成される開閉搭載用の前枠２が互いの正面左側上下に配設されたヒンジ金具３ａ、３ｂで横開き開閉および着脱が可能に取り付けられ、正面右側に設けられた施錠装置４を利用して常には外枠１と係合された閉鎖状態に保持される。
【００１４】
前枠２の前面上部側には、透明アクリル板やガラス板を有したガラス扉５が左端部のヒンジ部７ａ、７ｂを介して横開き開閉および着脱が自在に取り付けられ、施錠装置４により、常に前枠２の前面を覆う閉止状態に保持される。ガラス扉５の背後に位置する前枠上部には遊技盤１０を着脱自在に収容する遊技盤収容部が設けられており、この遊技盤収容部に立設姿勢で係止保持された遊技盤１０がガラス扉５を通して視認されるようになっている。
【００１５】
遊技盤１０は、所定板厚の積層合板の表面にセルを貼り付けてルーター加工した化粧板を基板とし、円弧状の案内レール（内レール、外レール）１１に囲まれて略円形状の遊技領域ＰＡが形成されている。遊技領域ＰＡには、多数本の遊技釘や風車とともに各種の一般入賞口１２、遊技の展開状況に応じた図柄を表示させる画像表示装置１３、画像表示装置１３に表示される図柄の変動契機となる始動入賞口１４、レール飾り１５等の遊技部品が取り付けられ、下端部にアウト口１６が設けられている。
【００１６】
前枠２の前面における上記ガラス扉５の下側には、上球皿６が左側のヒンジ部７ｂ、７ｃにより横開きおよび着脱可能に取り付けられ、常にはガラス扉５の下側において前枠２の前面を覆った状態で係止保持されている。この上球皿６は、前面に突出して形成され、遊技中に払い出される遊技球を受容して貯留する球貯留部が設けられている。なお、詳細図示しないが、上球皿６に前面側が覆われた前枠２の下部領域には遊技補助盤と称される補助機構部が形成されており、この遊技補助盤の各部に、発射装置や、スピーカなどが設けられている。
【００１７】
上記上球皿６の下側には、上面開放形態の下球皿９が前面に突出して取り付けられている。下球皿９の近傍には遊技球の発射操作を行う発射ハンドル８が設けられている。
【００１８】
前枠２の裏面側には、中央に前後連通する開口５０を有して前枠２よりもやや小型の方形枠状に形成された裏セット盤５１が、前枠２の裏面に設けられた複数のレバーＬ、Ｌ…を利用して閉鎖保持される。裏セット盤５１の各部には、遊技島に設置してある球貯留装置からの予備賞球を貯留する貯留タンク５２と、貯留タンク５２から供給された予備賞球を落下移動させつつ整列させる予備賞球案内流路５３、球圧を軽減して予備賞球を下方に流下させるカーブレール５４、遊技盤１０における入賞状態に基づいて予備賞球案内流路５３を通って貯留タンク５２から供給される予備賞球を賞球として上球皿６に払い出す球払出装置５５、球払出装置５５から払い出された賞球を上球皿６の球貯留部に導く賞球排出通路５６、各種制御装置、電子部品に電力を供給する電源装置５７、パチンコ機ＰＭの作動を統括的に制御する主制御装置５８、画像表示装置１３の裏側に位置して画像表示、効果音等の演出、効果ランプ等の表示制御を行うサブ制御装置５９、球払出装置５５を制御する払出制御装置６０、発射強度や発射タイミングを制御する発射制御装置６１等が図のように配設されている。
【００１９】
なお、図示していないが、遊技中において遊技盤１０の裏面側に排出された遊技済み球（アウト球およびセーフ球）を集合させ、パチンコ機ＰＭの背面側に導く遊技済み球排出流路が設けられている。この遊技済み球排出流路に導かれた遊技済み球はパチンコ機の背面に開口した遊技済み球球排出口６２から球回収空間に排出され、遊技島に設けられた回収通路上を転がって、回収される。
【００２０】
パチンコ機ＰＭは、前枠２、ガラス扉５および上球皿６がともに閉止され施錠された状態で遊技に供され、上球皿６に遊技球を貯留させて発射ハンドル８を回動操作することにより遊技が開始される。発射ハンドル８が回動操作されると、上球皿６に貯留された遊技球が発射装置により１球ずつ遊技盤１０の遊技領域ＰＡに打ち出され、以降パチンコゲームが展開される。
【００２１】
以上のように概要構成されるパチンコ機ＰＭにあって、本発明に係る画像表示装置について、以下、図３〜図９を参照しながら説明する。図３は、画像表示装置の正面方向から見た斜視図、図４は、背面方向から見た斜視図、図５は、画像表示装置の分解斜視図、図６は、液晶ユニットを背面側から示す分解斜視図、図７は、液晶パネルのバックライトであるＥＬシートの構成を示す図、図８は、液晶パネルの背面図、図９は、液晶パネルの背面側の斜視図である。
【００２２】
画像表示装置１３は、１０．４インチ若しくはそれ以上の画面サイズを有する液晶ユニット１１０と、液晶ユニット１１０の側部および後部の一部を収納する矩形状の合成樹脂製の枠体であるミドルケース１２０と、リアケース９２とを備えている。液晶ユニット１１０の背面側には、図４に示すように、サブ制御基板９３と画像処理基板１０１とが並置され、サブ制御基板９３と画像処理基板１０１はミドルケース１２０およびリアケース９２により支持されている。サブ制御基板９３の背面側には、リアケース９２を介して中継基板９４が取り付けられている。
【００２３】
画像表示装置１３は、液晶パネル９５や画像処理基板１０１等の画像表示用のデバイスだけでなく、遊技機の照明や効果音響装置の動作を制御するためのサブ制御基板９３を備えている。サブ制御基板９３は、液晶パネル９５に表示すべき画像データの制御、液晶パネル９５に表示される画像に対応した音声データの制御を行うとともに、パチンコ機ＰＭの各部に設けたランプ等の点灯制御を行う。画像処理基板１０１は、サブ制御基板９３からのコマンドデータを受け取り、そのコマンドデータに応じて、液晶パネル９５の画面に表示されるべき画像データを処理する。
【００２４】
画像処理基板１０１及びサブ制御基板９３は、図４に示すように、画像表示装置１３の背面、すなわち、液晶パネル９５の背面に、互いに並列となるように配置されている。そして、画像表示装置１３、画像処理基板１０１及びサブ制御基板９３は、液晶パネル９５の背面を覆うリアケース９２の内部に収納され、液晶パネル９５、サブ制御基板９３、画像処理基板１０１、ミドルケース１２０、およびリアケース９２が一体化され、画像表示装置１３を構成している。また、ミドルケース１２０の側壁１２１には、複数のスリット状の吸気口１２３が形成され、リアケース９２の側壁９２Ａに臨むように排気口１２６が形成され、ケース内部の熱を外部へ放熱できるようになっている。
【００２５】
液晶ユニット１１０は、図５および図６に示すように、背面側の液晶リアケース１１１Ａと、正面側の鉄板製の液晶フロントケース１１１Ｂからなる液晶ユニットケース１１１を有する。液晶リアケース１１１Ａは、その背面１０６が段付状とされた上段突出部１０６Ａと、これと隣接して、背面１０６の左側に設けられた下段後退部１０６Ｂとを有する。上段突出部１０６Ａの内部スペースには、画像処理基板１０１が配置され、下段後退部１０６の背面には、サブ制御基板９３が配置される。
【００２６】
液晶フロントケース１１１Ｂは、図６に示すように、四角枠状の部材であり、その枠によって液晶パネル９５を保持し、液晶画面を露出させる。液晶フロントケース１１１Ｂと液晶パネル９５の間に、図示しない保護シートを配置している。この保護シートは、液晶パネル９５の画面に密着するとともに画面全体を覆う透明な合成樹脂製の平板である。
【００２７】
液晶フロントケース１１１Ｂと液晶リアケース１１１Ａとの間には、液晶パネル９５、液晶パネル９５との接続を行う液晶ハーネス中継端子板１０２、液晶パネル９５を照明するバックライト用のＥＬシート９６、バックライト用の電源装置であるインバータ基板１０３、画像処理基板１０１を冷却するための空冷ユニット１３０、画像処理基板１０１を所定位置に固定するためのケース基板である液晶ベース１１２が取り付けられる。
【００２８】
本実施形態の一つの特徴は、液晶パネル９５のバックライト光源にＥＬ（エレクトロルミネッセンス）シートを用いている。図７にＥＬシートの構成を示す。図７(ａ)に示すように、液晶パネル９５とほぼ同形のＥＬシート９６が積層される。ＥＬシート９６は、図７（ｂ）に示すように、例えば、ＰＥＴ（ポリエチレンテレフタレート）フィルム２００、フィルム２００上に形成されたＩＴＯなどの透明電極２１０、酸化亜鉛および銅などの蛍光体を含む発光層２２０、発光層２２０上において漏れ電流の防止を行う耐圧誘電層２３０、背面電極層２４０、保護層２５０を含んで構成される。電極２１０、２４０間に、インバータ基板１０３から電界を与えることで、有機物あるいは無機物からなる発光層２２０が発光し、その光が液晶パネル９５の全面を照射する。
【００２９】
液晶ベース１１２は、液晶パネル９５の正面形状に応じたサイズの略平板状の部材から構成される。液晶ベース１１２の収納スペースに対応する部分には、画像処理基板１０１、液晶ハーネス中継端子板１０２及び空冷ユニット１３０が固定されている。
【００３０】
液晶ベース１１２には、当該液晶ベース１１２との間に空間をあけて画像処理基板１０１を支持する複数のボス１１２Ａが立設されている（図９を参照）。画像処理基板１０１は、その四隅及び長辺の中間部分に形成されたネジ孔１０９によりボス１１２Ａに固定される。また、液晶ベース１１２における画像処理基板１０１の左側の部分には、インバータ基板１０３が固定されている（図８参照）。
【００３１】
液晶パネル９５及び画像処理基板１０１は、その背面側が鉄板製の液晶リアケース１１１Ａに覆われている。液晶パネル９５、画像処理基板１０１及び液晶リアケース１１１Ａを含む液晶ユニット１１０の背面が合成樹脂製のリアケース９２とミドルケース１２０に覆われている。
【００３２】
画像処理基板１０１は、略正方形状の略平板に形成された二つのＬＳＩ１０１Ａ、１０１Ｂと、これらのＬＳＩ１０１Ａ、１０１Ｂを含んで形成された電子回路とを備え、この電子回路で、液晶パネル９５の画面に表示させるべき画像信号の処理を行っている。ＬＳＩ１０１Ａ、１０１Ｂは、動作時に冷却が必要な発熱素子である。ＬＳＩ１０１Ａ、１０１Ｂは、例えば図８に示すように、放熱板１３１上の２点鎖線で示す領域に接触される。
【００３３】
図１０は、画像表示装置の背面図、図１１は、図１０のＡ−Ａ線断面図、図１２は、図１０のＭ−Ｍ線断面図、図１３は、図１０のＪ−Ｊ線断面図である。
【００３４】
ミドルケース１２０には、図１１に示すように、空間を前後に仕切る底面３０１が形成され、底面３０１の背面側の隙間が、サブ制御基板９３を収納するサブ制御室としての装着スペース３０２を形成する。サブ制御基板９３は、装着スペース３０２の内部に収納され、そこで底面３０１にビス止めされる。装着スペース３０２は、サブ制御基板９３の背面側を覆おうように配置されるとともに、ミドルケース１２０にビス止めされているリアケース９２で蓋がされている。リアケース９２は、透明な合成樹脂を成形したものであり、その内部を透視することができる。
【００３５】
装着スペース３０２をリアケース９２で塞ぐと、ミドルケース１２０側に設けられている背板部１０７Ａの上面と、リアケース９２側に設けられている背板部１０７Ｂの最上面とが同一面を形成する。サブ制御基板９３が設置されている装着スペース３０２の上方には、接続コネクタＣＮが取り付けられた中継基板９４が配置されている。中継基板９４は、サブ制御基板９３よりも面積が小さい基板であり、サブ制御基板９３と図示しない電線により電気的に接続されている。この電線は、一端がサブ制御基板９３と電気的に接続され、他端が接続コネクタＣＮと嵌合する接続コネクタに接続されている。
【００３６】
サブ制御基板９３には、接続コネクタＣＮ、操作スイッチＳＷ及びコンデンサＣＣ、並びに、大規模集積回路ＬＳＩ及び集積回路ＩＣ等のチップ部品等が実装され、これらの電子部品のサブ制御基板９３から突出する寸法はそれぞれ異なっている。サブ制御基板９３には、突出寸法が大きい電子部品であるコンデンサＣＣ等の高寸法電子部品がまとめて配置された高寸法部品配置領域と、突出寸法が小さい電子部品である集積回路チップ等の低寸法電子部品がまとめて配置された低寸法部品配置領域とが設けられている。このうち、高寸法部品配置領域は、サブ制御基板９３の周縁部分に形成され、低寸法部品配置領域は、サブ制御基板９３の内側部分に形成されている。
【００３７】
サブ制御基板９３を内部に収納するリアケース９２は、サブ制御基板９３の上方を覆う天井部として、前述の背板部１０７Ｂを備えたものとなっている。中継基板９４は、リアケース９２の凹部１０８内においてビス止めされ（図１０参照）、リアケース９２と一体化されている。リアケース９２が透明なので、中継基板９４を取り外せば、リアケース９２の内部に収納されている電子部品を容易に確認することができるようになっている。
【００３８】
凹部１０８は、深さ寸法が充分確保されており、これにより、中継基板９４が全体的に凹部１０８の内部に埋没し、リアケース９２の背板部１０７Ｂから突出しないようになっている。従って、中継基板９４をサブ制御基板９３に重なるように設けても、画像表示装置１３の全体の奥行き寸法が嵩張らない。
【００３９】
空冷ユニット１３０は、図１１に示すように、ＬＳＩ１０１Ａ、１０１Ｂの熱を発散させるための放熱板１３１と、この放熱板１３１を支持するブラケット１３２と、収納スペース３０３の内部に設けられるとともに、放熱板１３１、ひいては、画像処理基板１０１を冷却するための冷却空気を送風する冷却ファン１３３とを備えたものである。換言すれば、ブラケット１３２には、冷却ファン１３３及び放熱板１３１の取り付けのために、冷却ファン被取付部であるファン固定部１３２Ｄと、放熱板被取付部１３１Ｄとが設けられている。そして、ブラケット１３２に放熱板１３１及び冷却ファン１３３が取り付けられ、これらのブラケット１３２、放熱板１３１及び冷却ファン１３３が一体化されて空冷ユニット１３０を形成している。
【００４０】
放熱板１３１は、図９及び図１３に示すように、熱伝導性に優れたアルミニウム材を押出成形することにより、互いに平行に延びる複数の冷却フィン１３１Ｂを有している。すなわち、放熱板１３１は、長方形状の略平板に形成された平板部１３１Ａの一面から突出する多数の冷却フィン１３１Ｂを、当該平板部１３１Ａに一体成形したものである。多数の冷却フィン１３１Ｂは、平板部１３１Ａの長手方向に配列されるとともに、各々が平板部１３１Ａの長手方向と直角に交差する方向に延びるものとなっている。
【００４１】
放熱板１３１は、多数の冷却フィン１３１Ｂが形成する列の両端近傍部分、及び、当該列の中間部分縁部分が平面とされ、この平面となった部分がブラケット１３２と面接触する面接触部１３１Ｃとなっている。
【００４２】
ブラケット１３２は、液晶ベース１１２側からＬＳＩ１０１Ａ、１０１Ｂに放熱板１３１を接触させるために、液晶ベース１１２との間に空間をおいて放熱板１３１を支持するものとなっている。また、このブラケット１３２は、熱伝導性に優れた材料であるアルミニウム板を折り曲げることにより、断面形状が全体的にＵ字形、換言すると、溝型に成形された部材である。なお、ブラケット１３２には、図９に示すように、画像処理基板１０１側に延びる接地用突起１４０が設けられている。画像処理基板１０１をボス１１２Ａに固定すると、ブラケット１３２の接地用突起１４０が画像処理基板１０１の図示しない接地端子と電気的に接続されるようになっている。これにより、画像処理基板１０１の当該接地端子が、空冷ユニット１３０に設けられているアルミニウム製のブラケット１３２のを介して液晶リアケース１１１Ａと電気的に導通し、これにより、画像処理基板１０１のアースがサブ制御基板９３のアース等と一緒に共通にとれるようになっている。
【００４３】
また、ブラケット１３２は、図９に示すように、Ｕ字形の側壁部として対向配置された二つの側壁１３２Ａを有している。これらの側壁１３２Ａの各々には、冷却空気をＵ字の内部に流通させるための送風口である通風孔１３２Ｂが設けられている。また、各側壁１３２Ａには、液晶ベース１１２と接する部分が液晶ベース１１２の表面と平行となるように折り曲げられることにより、液晶ベース１１２に取り付けるための取付部１３２Ｃが形成されている。断面Ｕ字形の二つの側壁１３２Ａのうち、冷却ファン１３３側に配置されている側壁１３２Ａに設けられた取付部１３２Ｃの先端部分は、側壁１３２Ａと対向するように、側壁１３２Ａと同じ方向へ折り曲げられ、これにより、冷却ファン１３３が固定されるファン固定部１３２Ｄが形成されている。冷却ファン１３３は、その吸込口１３３Ａが側壁１３２Ａに向けられた状態で、ファン固定部１３２Ｄに固定されている。ファン固定部１３２Ｄには、冷却ファン１３３の吸込口１３３Ａに対応して切り欠かれた切欠部１３２Ｅが設けられている。
【００４４】
Ｕ字形に成形されたブラケット１３２の底部１３２Ｆには、放熱板１３１の冷却フィン１３１Ｂを、そのＵ字形の内部に挿通させるためのフィン挿通口としての挿通孔１３２Ｇが設けられている。
【００４５】
放熱板１３１は、ブラケット１３２の底部１３２Ｆの外側の面から挿通孔１３２Ｇに冷却フィン１３１Ｂが挿通されるとともに、ブラケット１３２の底部１３２Ｆに形成されている放熱板被取付部１３１Ｄに面接触部１３１Ｃが接触し、この状態で、ブラケット１３２に固定されている。また、放熱板１３１は、シリコンゴムやシリコングリス等の熱伝導性及び密着性に優れた熱伝導体１０１Ｃを介して、画像処理基板１０１のＬＳＩ１０１Ａ、１０１Ｂに接触した状態でブラケット１３２により固定されている。
【００４６】
この際、ブラケット１３２の対向配置された一対の側壁１３２Ａに開けられた通風孔１３２Ｂの間に冷却フィン１３１Ｂを配置するとともに、側壁１３２Ａの長手方向と冷却フィン１３１Ｂの長手方向とを直交させることにより、一対の側壁１３２Ａに開けられた通風孔１３２Ｂが、冷却フィン１３１Ｂの間の空間によって相互に連通されるようにし、かつ、一方の側壁１３２Ａに対して冷却ファン１３３を近接配置するとともに、この冷却ファン１３３の吸込口を当該側壁１３２Ａの通風孔１３２Ｂに面して設けてある。これにより、空冷ユニット１３０は、冷却ファン１３３により送風される冷却空気が効率よく冷
却フィン１３１Ｂの間を流通するように構成されたものとなっている。
【００４７】
また、上記したようにミドルケース１２０の左右に設けられている側壁１２１、１２２のうち、液晶ユニットケース１１１の収納スペース３０３に対応して膨出している部分の側面となる側壁１２１には、細長いスリット状の長孔が多数形成され、これらの長孔が冷却空気を内部に取り入れるための吸気口１２３となっている。そして、図５及び図１１に示すように、吸気口１２３が設けられた側壁１２１と重なり合う液晶ユニットケース１１１の側壁１１３には、側壁１２１の各吸気口１２３に対応するとともに、側壁１２１の吸気口１２３と連通する複数の長孔が、冷却空気を内部に取り入れるための吸気口１１４として設けられている。吸気口１１４、１２３は、双方とも遊技球が内部に進入不可能なサイズの長孔から形成されている。
【００４８】
冷却ファン１３３は、図８の如く、ケース１１１、１２０の左右方向の中心位置よりも若干左側にずれた位置に取り付けられている。また、冷却ファン１３３は、収納スペース３０３の内部に配置されるとともに、放熱板１３１と液晶ベース１１２との間に形成された空間に冷却空気を送り込める位置であって、画像処理基板１０１の周縁部分にあたる位置に設置されている。冷却ファン１３３の吸込口１３３Ａは、ケース１１１、１２０の吸気口１１４、１２３が設けられた側壁１１３、１２１に対向するように配置されている。
【００４９】
さらに、図９に示すように、ミドルケース１２０の膨出している部分の周りを囲む側壁のうち、ミドルケース１２０の左右方向の中間部分に設けられている側壁１２４には、冷却ファン１３３の吹出口１３３Ｂに対応した開口１２５が設けられている。液晶ユニットケース１１１についても同様に、液晶ユニットケース１１１の膨出している部分の周りを囲む側壁のうち、液晶ユニットケース１１１の左右方向の中間部分に設けられている側壁１１５には、冷却ファン１３３の吹出口１３３Ｂに対応した複数の開口１１６が設けられている。
【００５０】
図１１に示すように、リアケース９４には、開口１１６、１２５と対向する側壁９４Ａが設けられている。この側壁９４Ａは、液晶ユニットケース１１１の側壁１１５と近接する位置において、側壁１１５に沿って延びるものとなっている。
【００５１】
この側壁９４Ａには、図５に示すように、開口１１６、１２５と対向する部分に凹みが設けられている。この凹みにより、図４および図７に示すように、リアケース９４及びミドルケース１２０の各背面をその一部として含んで構成されるケース全体の背面１２０Ａに、冷却ファン１３３の吹出口１３３Ｂから排出される冷却空気を排出するための排気口１２６が形成されている。この排気口１２６は、画像処理基板１０１を冷却したために暖められた冷却空気を外部に排気するためのものである。また、排気口１２６は、吹出口１３３Ｂに対向して設けられるとともに、遊技球が内部に進入不可能なサイズの孔から形成されたもの、換言すると、遊技球が内部に進入不可能な開口となっている。
【００５２】
この際、図１１において、左右方向に中間部分に配置された側壁１１５及び側壁９４Ａは、収納スペース３０３と装着スペース３０２とを仕切る仕切壁となっている。リアケース９２の側壁９２Ａのうち、冷却ファン１３３の吹出口１３３Ｂと対向する部分は、冷却ファン１３３の吹出口１３３Ｂの近傍に配置されるとともに、排気口１２６に向かって冷却空気を導く導風板１４１となっている。そして、ミドルケース１２０には、リアケース９２の側壁９２Ａの凹んだ部分に対応し、且つ、この凹んだ部分と連続するように、Ｕ字形に折れ曲がった立ち上がり壁部１２７が設けられている。立ち上がり壁部１２７のうち、冷却ファン１３３の吹出口１３３Ｂと対向する部分は、リアケース９２側の導風板１４１と連結される当該導風板１４１とともに、排気口１２６に向かって冷却空気を導く導風板１４１Ａとなっている。
【００５３】
さらに、液晶ベース１１２には、排気口１２６に対向する部分が傾斜した状態で迫り上がった傾斜底部１１７が設けられている。この傾斜底部１１７の周囲には、リアケース９２の側壁９２Ａの凹んだ部分に対応するとともに、この凹んだ部分と連続する立ち上がり壁部１１８が設けられている。傾斜底部１１７は、ミドルケース１２０の導風板１４１Ａと連結され、且つ、導風板１４１、１４１Ａとともに、排気口１２６に向かって冷却空気を導く導風板１４１Ｂとなっている。つまり、導風板１４１、１４１Ａ、１４１Ｂは、画像処理基板１０１を冷却したために暖められた冷却空気が装着スペース３０２の内部に進入しないように、冷却空気を排気口１２６に向かって導く。
【００５４】
画像処理基板１０１を収納する収納スペース３０３と、サブ制御基板９３を装着するための装着スペース３０２とを、ミドルケース１２０の左右に並設し、収納スペース３０３と装着スペース３０２との境界部分に配置される側壁１２４に近接して冷却ファン１３３を設けるとともに、冷却ファン１３３の吹出口１３３Ｂに対応した開口１２５を側壁１２４に設け、さらに、リアケース９２に設けた側壁９２Ａの開口１２５と対向する部分を凹ませ、この凹みを冷却空気の排気路とし、リアケース９２が排気ダクトを兼用するようにしてある。これにより、ケース全体の背面１２０Ａに冷却空気を排出するための排気口１２６を設けても、冷却空気を排気口１２６まで導く排気ダクトを別途設ける必要がなく、ケース全体の構造が簡略化されるようになっている。
【００５５】
本実施形態によれば、次のような効果が得られる。液晶パネル９５のバックライト用の光源としてＥＬシート９６を採用することで、液晶パネル９５の周囲の発熱を低減することができる。さらに、複数のボス１１２Ａを液晶ベース１１２に立設し、これらのボス１１２Ａで画像処理基板１０１を支持し、液晶ベース１１２と画像処理基板１０１との間に放熱板１３１を配置するようにしたので、ブラケット１３２を介して放熱板１３１が液晶ベース１１２に固定され、これにより、放熱板１３１を取り付けるための取付用部位を画像処理基板１０１に設ける必要がなくなり、画像処理基板１０１の実装率を向上することができる。
【００５６】
放熱板被取付部１３１Ｄ及びファン固定部１３２Ｄをブラケット１３２に設け、ブラケット１３２に放熱板１３１及び冷却ファン１３３を一体化した空冷ユニット１３０を形成し、液晶ベース１１２に空冷ユニット１３０を取り付けることで、放熱板１３１、ブラケット１３２及び冷却ファン１３３のすべてをまとめて液晶ベース１１２に取り付けることが可能となり、液晶ベース１１２に対して取付作業を行うべき部品の数が減り、画像処理基板１０１の実装率を向上しても、組立作業に要する時間を短縮することができる。
【００５７】
放熱板１３１と液晶ベース１１２との間に形成された空間に冷却空気を送り込める位置に冷却ファン１３３を配置し、冷却ファン１３３を稼働させることにより、放熱板１３１と液晶ベース１１２との間に形成された空間に冷却空気を確実に送り込めるようにしたので、ＬＳＩ１０１Ａ，１０１Ｂが発する熱を放熱板から空気中へ効率良く発散することができる。
【００５８】
さらに画像処理基板１０１の周縁部分にあたる位置に冷却ファン１３３を配置したので、ケース内部を流通する冷却空気の排気口１２６に隣接して冷却ファン１３３を設けることができ、このように排気口１２６に隣接して冷却ファン１３３を設けることにより、冷却空気の流路長が短くなり、冷却空気の流路抵抗を低減できる。
【００５９】
熱を放熱板１３１から空気中へ効率良く発散することができ、冷却空気の流路抵抗を低減することが可能になるので、冷却ファン１３３及び放熱板１３１の冷却性能を充分に確保することができる。さらに、断面Ｕ字形のブラケット１３２を採用し、このブラケット１３２のＵ字形の底部１３２Ｆに挿通孔１３２Ｇを設け、これにより、ブラケット１３２の底部１３２Ｆの外側から放熱板１３１の冷却フィン１３１Ｂを挿通孔１３２Ｇに挿通すると、放熱板１３１のブラケット１３２に対する位置が決まるようにしたので、ネジ止め等により、放熱板１３１をブラケット１３２に容易に固定することができる。また、空冷ユニット１３０の平面形が放熱板１３１よりも一回り大きくなるので、放熱板１３１が付いた状態のブラケット１３２を容易に液晶ベース１１２に取り付けることができる。
【００６０】
ブラケット１３２のＵ字形の側壁１３２Ａに冷却空気を流通させる通風孔１３２Ｂを設けたので、放熱板１３１の冷却フィン１３１Ｂをブラケット１３２のＵ字形の内部に配置しても何ら問題が生じない。さらに、ブラケット１３２の断面形状をＵ字形にしたので、板材を折り曲げるとともに、その所定箇所に開口を形成するといった容易な加工でブラケット１３２を作製できるようになり、ブラケット１３２の製造に要する時間も短縮することができる。また、画像表示表示装置１３の背面側に、画像処理基板１０１とサブ制御基板９３とを並列に配置したので、画像表示装置１３の奥行き寸法が嵩張ることがない。
【００６１】
さらにパチンコ機ＰＭにおける画像柄表示装置１３が占有していない残りの部分にサブ制御基板９３の設置が不可能となるほど、画像柄表示装置１３の画面を大きくしても、画像処理基板１０１及びサブ制御基板９３の両方が画像表示装置１３の背面側に配置可能となるので、画像処理基板１０１との並列配置により、サブ制御基板９３をパチンコ機ＰＭに設置することができる。さらに、サブ制御基板９３及び画像処理基板１０１を画像表示装置１３に一体化したので、サブ制御基板９３にアンプ及びスピーカを接続し、この状態で画像表示装置１３を起動すれば、その画面に映し出された映像に応じた音声も出力することができる。このため、画像表示装置１３をパチンコ機ＰＭに組み込む前に、画像表示装置１３に映し出される画像を、その音声とともに確認する検査を行うにあたり、アンプ及びスピーカの接続作業を行うだけで、その他面倒な作業が何ら必要なく、速やかに検査を開始することができ、画像表示装置１３の単独検査の便宜を図ることができる。
【００６２】
また、側壁９２Ａ、１１５に仕切られた収納スペース３０３及び装着スペース３０２の内部に、画像処理基板１０１及びサブ制御基板９３をそれぞれ収納し、さらに、画像処理基板１０１を冷却した暖かい冷却空気が装着スペース３０２に進入しないように、当該冷却空気を排気口１２６に向かって導く導風板１４１を側壁９２Ａの一部分として設けたので、発熱する画像処理基板１０１の隣りにサブ制御基板９３を並設しても、画像処理基板１０１の発熱の影響がサブ制御基板９３に及ぶことがなく、画像表示装置１３を備えたパチンコ機ＰＭの動作を全般的に良好なものとすることができる。
【００６３】
画像表示装置１３の背面側を覆う保護ケースとして、外側のミドルケース１２０と内側の液晶リアケース１１１Ａとを備えた二重構造のものを採用し、且つ、液晶リアケース１１１Ａを鉄板製としたので、液晶リアケース１１１Ａで電磁波を充分遮断することができ、電磁波から画像処理基板１０１及び液晶パネル９５を保護することができ、ひいては、強力な電波による不正行為、いわゆる電波ゴトから画像処理基板１０１、液晶パネル９５及びパチンコ機ＰＭ本体を守ることができる。
【００６４】
ミドルケース１２０を合成樹脂製としたので、その肉厚を充分厚くしても、重量が大幅に増加することがなく、且つ、肉厚を充分とることにより、ミドルケース１２０の機械的強度が確保され、機械的損傷から画像処理基板１０１及び液晶パネル９５を保護することができる。
【００６５】
液晶リアケース１１１Ａの内部に画像処理基板１０１及び液晶パネル９５を配置し、液晶リアケース１１１Ａの外側にサブ制御基板９３を配置することにより、比較的電磁波ノイズの影響を受けやすい画像処理基板１０１及び液晶パネル９５を、サブ制御基板９３から電磁気的に隔離することができる。サブ制御基板９３、画像処理基板１０１及び液晶パネル９５を同じケース内に配置し、サブ制御基板９３で音声信号の発生に伴い電磁波が発生しても、この電磁波による乱れが液晶パネル９５の画面に発生することを未然に防止することができる。
【００６６】
液晶リアケース１１１Ａの背面１０６を段付状にして、ミドルケース１２０の内面に向かって迫り出した上段突出部１０６Ａと、ミドルケース１２０の内面から退いた下段後退部１０６Ｂとを設け、上段突出部１０６Ａの内部に画像処理基板１０１を設置し、ミドルケース１２０の背板部１０７Ｂと、液晶リアケース１１１Ａに設けた下段後退部１０６Ｂの外側面との間に形成された隙間にサブ制御基板９３を設置したので、画像処理基板１０１及び液晶パネル９５と、サブ制御基板９３とを液晶リアケース１１１Ａで電磁気的に隔離しても、画像表示装置１３の背面において、画像処理基板１０１とサブ制御基板９３とを並列に配置することができ、画像表示装置１３の背面にサブ制御基板９３を設置しても、画像表示装置１３の奥行き寸法の増大を防止できる。
【００６７】
さらに、突出寸法が大きいコンデンサ等の高寸法電子部品をまとめて配置した高寸法部品配置領域と、突出寸法が小さい集積回路チップ等の低寸法電子部品をまとめて配置した低寸法部品配置領域とをサブ制御基板９３に設け、このうち、低寸法部品配置領域と重なるように中継基板９４を配置したので、中継基板９４を設けても、画像表示装置１３の奥行き寸法が嵩張ることがなくなる。従って、サブ制御基板９３に中継基板９４を重ねて配置することにより、サブ制御基板９３を設置するための部位に中継基板９４もサブ制御基板９３とともに設置できるようになるので、中継基板９４を設置するために専用の部位を別途確保する必要がなくなり、パチンコ機ＰＭの背面に各部品や機器をコンパクトに配置できるようになる。
【００６８】
突出寸法が大きく、サブ制御基板９３の表面を占有する専有面積が小さいコンデンサ等の高寸法電子部品を、サブ制御基板９３の周縁部分に沿って帯状に配置したので、その内側に高寸法電子部品が設置されていない部位を広く残すことができる。これにより、大規模集積回路ＬＳＩ等の占有面積が大きい低寸法電子部品を複数設置するのに必要な面積を容易に確保できるうえ、中継基板９４を重ねて配置するために必要な広さの低寸法部品配置領域を容易に確保することができる。
【００６９】
サブ制御基板９３を収納するケースとして、サブ制御基板９３の上方を覆う背板部１０７を備えたリアケース９２を採用し、且つ、サブ制御基板９３の低寸法部品配置領域に対応する背板部１０７の部分を、高寸法部品配置領域に対応する背板部１０７の他の部分よりも内側に向かって凹ますことで背板部１０７に凹部１０８を設け、凹部１０８の内部に中継基板９４を収納するようにしたので、サブ制御基板９３をリアケース９２の内部に収納し、サブ制御基板９３を損傷や不正行為等から保護するようにしても、画像表示装置１３の奥行き寸法が増大せず、ひいてはパチンコ機ＰＭの奥行き寸法が増大を抑えることができ、パチンコ機ＰＭの奥行き寸法が嵩張ることを未然に防止することができる。
【００７０】
また、その表面から画像処理基板１０１側へ延びる接地用突起１４０をブラケット１３２に設け、画像処理基板１０１をボス１１２Ａに固定すると、ブラケット１３２の接地用突起１４０に画像処理基板１０１の図示しない接地端子が自動的に接続されるようにしたので、画像処理基板１０１を接地するにあたり、画像処理基板１０１にアース用の電線を接続する必要がなく、アース用電線を接続する手間が省け、画像表示装置１３の配線作業に要する時間を短縮することができる。
【００７１】
なお、本発明は、前記実施形態に限定されるものではなく、本発明の目的を達成できる範囲における変形及び改良などをも含むものである。
【００７２】
例えば、前記実施形態では、画像表示装置１３に表示させる画像に関するデータを記憶したＲＯＭをサブ制御基板９３に設けたが、当該ＲＯＭを設置する回路基板としては、サブ制御基板９３に限らず、画像処理基板１０１等の他の回路基板でもよい。また、遊技機としては、パチンコ機に限らず、雀球やアレンジボール等の他の弾球遊技機でもよく、あるいは、外周面に図柄を表示する回転リールを有し、回転リールの図柄を特定の組合せに揃えるスロットマシン等の回胴式遊技機でもよく、要するに、本発明は、遊技媒体の投入により遊技が行えるとともに、入賞すると所定数量の遊技媒体が遊技者に払い出される遊技機に適用することができる。
【００７３】
さらに本願発明では、以下の項を開示する。
（１）  遊技媒体の投入により遊技が行えるとともに、入賞すると所定数量の遊技媒体が遊技者に払い出される遊技機であって、
動作するのに必要な演算処理を行う処理回路が形成された回路基板と、この回路基板と一端が電気的に接続された電線と、この電線の他端が電気的に接続された接続コネクタが取り付けられた中継基板と、
シート状のＥＬパネルをバックライトとして含む液晶表示部とを備え、
前記回路基板には、当該回路基板から突出する突出寸法が異なる複数種類の電子部品を備えているとともに、突出寸法が大きい電子部品である高寸法電子部品がまとめて配置された高寸法部品配置領域と、突出寸法が小さい電子部品である低寸法電子部品がまとめて配置された低寸法部品配置領域とが設けられ、
前記中継基板は、前記回路基板の前記低寸法部品配置領域と重なる位置に配置されていることを特徴とする遊技機。
【００７４】
低寸法電子部品がまとめて配置された低寸法部品配置領域を回路基板に設け、低寸法部品配置領域と重なるように中継基板を配置したので、中継基板を設けても、その奥行き寸法が嵩張ることがなくなる。これにより、回路基板を設置するための部位に中継基板も回路基板とともに設置できるようになるので、中継基板を設置するために専用の部位を別途確保する必要がなくなり、遊技機の背面に各部品や機器をコンパクトに配置できるようになる
【００７５】
（２）前記高寸法部品配置領域は、前記回路基板の周縁部分に形成され、
前記低寸法部品配置領域は、前記回路基板の内側部分に形成されていることを特徴とする請求項（１）記載の遊技機。
【００７６】
回路基板から突出する突出寸法が大きいコンデンサ等の高寸法電子部品は、一般的に、回路基板の表面を占有する専有面積が小さいので、回路基板の周縁部分に沿って帯状に配置すれば、その内側に高寸法電子部品が設置されていない部位を広く残すことができる。これにより、ＬＳＩ等の占有面積が大きい低寸法電子部品を複数設置するのに必要な面積を容易に確保できるうえ、中継基板を重ねて配置するために必要な広さの低寸法部品配置領域も容易に確保できる。
【００７７】
（３）前記回路基板を内側に収納するケースが設けられ、このケースには、前記回路基板の上方を覆う天井部が設けられ、この天井部には、前記低寸法部品配置領域に対応する部分を、前記高寸法部品配置領域に対応する部分よりも内側に向かって凹ますことにより形成された凹部が設けられ、この凹部の内側に前記中継基板が収納されていることを特徴とする請求項（２）に記載の遊技機。
【００７８】
回路基板をケースの内部に収納するようにしたので、回路基板を損傷や不正行為等から保護することができる。しかも、ケースの内部に収納することで回路基板を保護するようにしても、ケースの天井部に設けた凹部の内部に中継基板を収納するようにしたので、遊技機の奥行き寸法が増大することがなく、奥行き寸法が嵩張ることを防止することができる。
【００７９】
（４）  遊技媒体の投入により遊技が行えるとともに、入賞すると所定数量の遊技媒体が遊技者に払い出される遊技機であって、
動作時に発熱して冷却が必要となる電子部品で高速演算処理を行う高速処理回路が形成された回路基板と、
シート状のＥＬパネルをバックライトとして含む液晶表示部と、
前記電子部品の熱を発散させるための放熱板と、
前記回路基板、液晶表示部及び前記放熱板を内側に収納するとともに、前記回路基板が固定されるケース基板を有するケースと、
前記ケース基板に立設されるとともに、前記ケース基板との間に空間をあけて前記回路基板を支持する複数のボスと、
前記ケース基板側から前記電子部品に前記放熱板を接触させるために、前記ケース基板との間に空間をおいて前記放熱板を支持するブラケットと、
前記放熱板を冷却するための冷却空気を送風する冷却ファンとを備え、
前記ブラケットには、前記放熱板及び前記冷却ファンがそれぞれ取り付けられる放熱板被取付部及び冷却ファン被取付部が設けられ、これらのブラケット、放熱板及び冷却ファンが一体化されて空冷ユニットを形成していることを特徴とする遊技機。
【００８０】
複数のボスをケース基板に立設し、これらのボスで回路基板を支持し、ケース基板と回路基板との間に放熱板を配置するようにしたので、ブラケットを介して放熱板がケース基板に固定されるようになり、これにより、放熱板を取り付けるための取付用部位が回路基板から省略され、回路基板の実装率を向上することができる。放熱板被取付部及び冷却ファン被取付部をブラケットに設け、ブラケットに放熱板及び冷却ファンを一体化した空冷ユニットを形成し、ケース基板に対して空冷ユニットの取り付けを行えば、放熱板、ブラケット及び冷却ファンのすべてがケース基板に取り付けられるようにしたので、ケース基板に対して取付作業を行うべき部品の数が減り、回路基板の実装率を向上しても、組立作業に要する時間を短縮することができる。
【００８１】
（５）  前記冷却ファンは、前記放熱板と前記ケース基板との間に形成された空間に冷却空気を送り込めるとともに、前記回路基板の周縁部分にあたる位置に配置されていることを特徴とする請求項（４）記載の遊技機。
【００８２】
冷却ファンの稼働により、放熱板とケース基板との間に形成された空間に冷却空気を確実に送り込めるようになるので、電子部品が発する熱を放熱板から空気中へ効率良く発散することができる。さらに、回路基板の周縁部分にあたる位置に冷却ファンを配置したので、ケースの内部を流通する冷却空気の吸気口又は排気口に隣接して冷却ファンを設けることができ、このように吸気口又は排気口に隣接して冷却ファンを設けることにより、冷却空気の流路長が短くなり、冷却空気の流路抵抗を低減することができる。
【００８３】
（６）  前記放熱板は、熱伝導性のある部材を押出形成することにより、互いに平行に延びる複数の冷却フィンが設けられたものであり、
前記ブラケットは、熱伝導性のある部材を折り曲げて断面Ｕ字形に形成されたものであり、Ｕ字形の側壁部に前記冷却ファンの冷却空気を流通させる送風口が設けられ、Ｕ字形の底部に前記放熱板の複数の前記冷却ファンをそのU字の内部に挿入させるフィン挿通口が設けられていることを特徴とする請求項（４）又は（５）に記載の遊技機。
【００８４】
ブラケットのＵ字形の底部にフィン挿通口を設け、ブラケットの底部の外側から放熱板の冷却フィンを前述のフィン挿通口に挿通すると、放熱板のブラケットに対する位置が決まるようにしたので、ネジ止め等により、放熱板をブラケットに容易に固定することができる。また、これにより、空冷ユニットの平面形が放熱板よりも一回り大きくなるので、放熱板が付いた状態のブラケットを容易にケース基板に取り付けることができる。
【００８５】
（７）  遊技を行う遊技者に面した画面に様々な画像の表示が可能となっている表示装置を備えた表示装置付遊技機であって、
前記画面に表示させるべき画像の電気的な処理を行う画像処理基板と、
演出に必要な音声の電気的な処理を行うサブ制御基板と、
シート状のＥＬパネルをバックライトとして含む液晶表示部とを備え、
前記表示装置の背面に、前記画像処理基板と前記サブ制御基板とが並列に配置されていることを特徴とする表示装置付遊技機。
【００８６】
表示装置の背面に、画像処理基板とサブ制御基板とを並列に配置するので、奥行き寸法が嵩張ることがない。しかも、表示装置の画面が大きく、サブ制御基板の設置が不可能となるほど、表示装置の占有していない残りの部分が小さくなれば、画像処理基板及びサブ制御基板の両方を表示装置の背面側に配置できるようになるので、画像処理基板との並列配置により、サブ制御基板の設置が可能となる。なお、サブ制御基板が設置できる面積が確保できれば、表示装置の背面の周縁からサブ制御基板の端縁部分がはみ出していてもよい
【００８７】
（８）  前記表示装置及び前記画像処理基板を内部に収納するケースが設けられ、
前記サブ制御基板は、前記画面に表示される画像に対応した音声のデータを出力する機能を有するとともに、前記ケースの内部に収納されて前記表示装置及び前記画像処理基板に一体化されていることを特徴とする請求項（７）記載の表示装置付遊技機。
【００８８】
サブ制御基板が画像処理基板とともに表示装置に一体化されているので、サブ制御基板にアンプ及びスピーカを接続し、この状態で表示装置を起動すれば、その画面に映し出された映像に応じた音声も出力されるようになる。このため、表示装置を遊技機に組み込む前に、表示装置に映し出される画像の動作を、その音声とともに確認する検査を行うにあたり、アンプ及びスピーカの接続作業を行うだけで、その他面倒な作業が何ら必要なく、速やかに検査を開始することができ、表示装置の単独検査の便宜を図ることができる。
【００８９】
（９）  前記ケースには、前記画像処理基板を収納する画像処理室と、前記サブ制御基板を収納するサブ制御室と、前記画像処理室及び前記サブ制御室を仕切る側壁とが設けられ、
前記画像処理室には、前記画像処理基板を冷却する冷却空気を送風するための冷却ファンが設けられ、
前記ケースの背面には、前記画像処理基板を冷却したために暖められた冷却空気を排気するための排気口が設けられ、
前記側壁には、前記画像処理基板を冷却したために暖められた冷却空気が前記サブ制御室の内部に進入しないように、当該冷却空気を前記排気口に向かって導く導風板となる部分が設けられていることを特徴とする請求項（８）記載の表示装置付遊技機。
【００９０】
側壁に仕切られた画像処理室及びサブ制御室の内部に、それぞれ画像処理基板及びサブ制御基板を収納し、さらに、画像処理基板を冷却した暖かい冷却空気がサブ制御室に進入しないように、当該冷却空気を排気口に向かって導く導風板を側壁の一部分として設けたので、発熱する画像処理基板の隣りにサブ制御基板を並設しても、画像処理基板の発熱の影響がサブ制御基板に及ぶことがなく、表示装置付遊技機の動作を全般的に良好なものとすることができる。
【００９１】
（９）  遊技を行う遊技者に面した画面に様々な画像の表示が可能となっている表示装置を備えた表示装置付遊技機であって、
動作時に冷却が必要な発熱素子を有するとともに、前記画面に表示させるべき画像の電気的な処理を行う電子回路が形成された画像処理基板と、
シート状のＥＬパネルをバックライトとして含む液晶表示部と、
前記発熱素子の熱を発散させるための放熱板と、
この放熱板を支持するブラケットと、
前記放熱板を冷却するための冷却空気を送風する冷却ファンと、
前記画像処理基板、液晶表示部、前記放熱板、前記ブラケット及び前記冷却ファンを内部に収納するケースとを備え、
前記冷却ファンが前記ブラケットに固定されるとともに、前記放熱板が前記発熱素子に接触した状態で前記ブラケットに固定され、且つ、前記冷却空気を排気するための排気口が前記ケースの背面に設けられていることを特徴とする表示装置付遊技機。
【００９２】
吸気口の位置を適宜設定することにより、例えば、ケースの背面の周囲、又は、側面若しくは底面に吸気口の位置を設定すれば、排気口がケースの背面に設けられているので、導電性を有するゴミが吸気口又は排気口を通って表示装置のケースの内部に進入することがなく、これらのゴミによる電子回路の短絡が防止され、表示装置を故障させるおそれを解消することができる。また、放熱板と冷却ファンとの両方をブラケットに固定し、これにより、放熱板と冷却ファンとが近接して配置されるようにするとともに、排気口をケースの背面に設け、底面又は側面に設けた吸気口から排気口までの距離が短くなるようにしたので、冷却空気の流通抵抗が低減されるようになるうえ、放熱板を発熱素子に接触させたので、伝熱効果が良好なものとなり、対流現象を利用することができなくとも、良好な冷却効率を確保することができ、また、冷却ファンの小型化を充分図ることができる。
【００９３】
（１０）  前記ケースの左右に設けられている側面の少なくとも一方に、前記冷却空気を内部に取り入れるための吸気口が設けられていることを特徴とする請求項（９）記載の表示装置付遊技機。
【００９４】
吸気口をケースの側面に設けたので、前述したように、吸気口からケース内へのゴミの進入を抑制でき、ゴミによる電子回路の短絡が防止されるようになるうえ、下方で熱せられた空気が上昇してきても、上昇してきた熱気をまともに吸入することがなくなるので、比較的大きな電動機等の動作に伴い熱を発する発熱機器が、その下方に配置されても、当該発熱機器の影響を回避することができる。
【００９５】
（１１）  前記冷却ファンは、その吸込口が前記ケースの前記吸気口が設けられた側面に対向するように配置され、前記冷却ファンの吹出口の近傍には、前記ケースの背面に設けられた前記排気口に向かって冷却空気を導く前記導風板が、当該吹出口に対向して設けられていることを特徴とする請求項（１０）記載の表示装置付遊技機。
【００９６】
冷却ファンの吹込口と、ケースの吸気口とを対向させて配置することが可能となり、吹込口と吸気口とを対向配置することにより、ケースの内部において冷却空気が直線状に流れるようにすることができ、この点からも、冷却空気の流通抵抗が低減され、良好な冷却効率を確保することができる。また、冷却ファンの吹出口から吹き出される冷却空気の吹出方向が排気口による排気の排出方向と交差していても、冷却ファンの吹出口の近傍に、ケース背面の排気口に向かって冷却空気を導く導風板を、当該吹出口に対向して設けたので、排気口からの排気効率が損なわれることがなく、この点からも、充分な冷却空気の風量が確保され、良好な冷却効率を確保することができる。
【００９７】
（１２）  前記排気口及び前記吸気口は、遊技球が内部に進入不可能なサイズの孔から形成されていることを特徴とする請求項（１１）記載の表示装置付遊技機。
【００９８】
導電性を有する遊技球が排気口または吸気口を通って表示装置のケース内部に侵入することなく、遊技球による電子回路の破損や短絡が防止され、表示装置を故障させるおそれを解消させることができる。また、個々の孔が小さくとも、その数量を十分に多く設定すれば、冷却空気の風量を充分確保することができるので、排気口及び吸気口の各孔のサイズを遊技球が通過できないほど小さくしても良好な冷却効率を確保することができる。
【００９９】
（１３）  前記ブラケットが熱伝導性のある材料から形成されていることを特徴とする請求項（９）から請求項（１２）までのいずれかに記載の表示装置付遊技機。
【０１００】
ブラケットが熱伝導性の良好なものとなるので、発熱素子で発生した熱は、ブラケットを通じても発散されるようになり、冷却ファンの冷却向上するのと相まって、発熱素子の冷却能力を向上することができる。
【図面の簡単な説明】
【０１０１】
【図１】本発明の一実施形態に係る遊技機を示す正面図である。
【図２】本発明の実施形態に係る遊技機を示す背面図である。
【図３】本発明の実施形態に係る画像表示装置を正面側から示す斜視図である。
【図４】本発明の実施形態に係る画像表示装置を背面側から示す斜視図である。
【図５】本発明の実施形態に係る画像表示装置を背面側から示す分解斜視図である。
【図６】本発明の実施形態に係る液晶ユニットを背面側から示す分解斜視図である。
【図７】本発明の実施形態に係るＥＬシートを示し、図７(ａ)は概略斜視図、図７(ｂ)は概略断面図である。
【図８】本発明の実施形態に係る液晶ユニットを示す一部分解状態の背面図である。
【図９】本発明の実施形態に係る液晶ユニットの要部を背面側から示す斜視図である。
【図１０】本発明の実施形態に係る表示装置を示す背面図である。
【図１１】図１０のＡ−Ａ線断面図である。
【図１２】図１０のＪ−Ｊ線における断面図である、
【図１３】図１０のＭ−Ｍ線における断面図である。斜視図である。
【符号の説明】
【０１０２】
１    外枠                          ２ａ  収容枠
２    前枠                          ３ａ  ヒンジ部材
４    施錠金具                      ５    ガラス扉
６ａ  球皿部                        ６ｂ  ボタン
６    球皿                          ８    操作ハンドル
１０    遊技盤                      １１    案内レール
１２    一般入賞口                  １３    画像表示装置
１４    始動入賞口                  １５    レール飾り
９２    リアケース                  ９３    サブ制御基板
９４    中継基板                    ９５    液晶パネル
９６    ＥＬシート                １０１Ｃ  熱伝導体
１０１    画像処理基板
１０１Ａ  ＬＳＩ(大規模集積回路)    １０１Ｂ  ＬＳＩ(大規模集積回路)
１０２    液晶ハーネス中継端子板    １０３    インバータ基板
１０６Ａ  上段突出部                １０６Ｂ  下段後退部
１０６    背面                      １０７Ａ  背板部
１０７Ｂ  背板部                    １０７    背板部
１０８    凹部                      １０９    ネジ孔
１１０    液晶ユニット              １１１Ａ  液晶リアケース
１１１Ｂ  液晶フロントケース        １１１    液晶ユニットケース
１１２Ａ  ボス                      １１２    液晶ベース
１１３    側壁                      １１４    吸気口
１１５    側壁                      １１６    開口
１１７    傾斜底部                  １１８    壁部
１２０Ａ  背面                      １２０Ｂ  容器部
１２０    ミドルケース              １２１    側壁
１２３    吸気口                    １２４    側壁
１２５    開口                      １２６    排気口
１２７    壁部                      １３０    空冷ユニット
１３１Ａ  平板部                    １３１Ｂ  冷却フィン
１３１Ｃ  面接触部                  １３１Ｄ  放熱板被取付部
１３１    放熱板                    １３２Ａ  側壁
１３２Ｂ  通風孔                    １３２Ｃ  取付部
１３２Ｄ  ファン固定部              １３２Ｅ  切欠部
１３２Ｆ  底部                      １３２Ｇ  挿通孔
１３２    ブラケット                １３３Ａ  吸込口
１３３Ｂ  吹出口                    １３３    冷却ファン
１４０    接地用突起                １４１Ａ  導風板
１４１Ｂ  導風板                    １４１    導風板
ＰＡ    遊技領域                    ＰＭ    パチンコ機
【図１】
2007021078.tif 000003
【図２】
2007021078.tif 000004
【図３】
2007021078.tif 000005
【図４】
2007021078.tif 000006
【図５】
2007021078.tif 000007
【図６】
2007021078.tif 000008
【図７】
2007021078.tif 000009
【図８】
2007021078.tif 000010
【図９】
2007021078.tif 000011
【図１０】
2007021078.tif 000012
【図１１】
2007021078.tif 000013
【図１２】
2007021078.tif 000014
【図１３】
2007021078.tif 000015